(57)【要約】【課題】地表面の雨水を十分に集水させることができ、マスへの泥やごみ等の異物の侵入を防ぐことでマスの掃除の頻度を抑えることができ、マスを任意の深さに設置させることができる集水装置の提供を課題とする。【解決手段】排水マス、雨水マス、浸透マス等のマス２に取り付けられて地表面の雨水を集水してマス２へ流し込ませる集水装置１であって、マス２の上部に取り付けられ、マス２へ雨水を浸透させる蓋１３付きの雨水浸透立管１０と、前記雨水浸透立管１０を囲むように配置した雨水受入容器２０と、地表面に配置されて前記雨水受入容器２０の蓋を構成する雨水集水蓋３０とから構成され、雨水集水蓋３０から雨水受入容器２０に受け入れられた雨水を雨水浸透立管１０の側部から該雨水浸透立管１０の内部へ浸透させて、マス２内に導く構成とした。【選択図】      図１
2008285932.tif 000002
【特許請求の範囲】
【請求項１】
排水マス、雨水マス、浸透マス等のマスに取り付けられて地表面の雨水を集水してマスへ流し込ませる集水装置であって、マスの上部に取り付けられ、マスへ雨水を浸透させる蓋付きの雨水浸透立管と、前記雨水浸透立管を囲むように配置した雨水受入容器と、地表面に配置されて前記雨水受入容器の蓋を構成する雨水集水蓋とから構成され、雨水集水蓋から雨水受入容器に受け入れられた雨水を雨水浸透立管の側部から該雨水浸透立管の内部へ浸透させて、マス内に導く構成としたことを特徴とする集水装置。
【請求項２】
雨水浸透立管は、側面にスリットを有する筒状体であり、該スリットの位置よりも下方に、前記雨水受入容器の底部が位置するように配置されていることを特徴とする請求項１に記載の集水装置。
【請求項３】
雨水浸透立管の蓋と雨水集水蓋とを面一に組み合わせて地表面に配置すると共に、両者を別々に開閉できる構成としたことを特徴とする請求項１又は２に記載の集水装置。
【請求項４】
雨水集水蓋と雨水浸透立管の蓋とを別々に構成し、雨水浸透立管の蓋は雨水集水蓋の下方において雨水浸透立管を密閉する構成としたことを特徴とする請求項１〜３の何れかに記載の集水装置。
【請求項５】
雨水浸透立管の筒状体の側面外周を透水シートで覆うことを特徴とする請求項２〜４の何れかに記載の集水装置。
【請求項６】
筒状体の側面外周のうち、上部は透水シートで覆うことなく開放しておくことを特徴とする請求項２〜５の何れかに記載の集水装置。
【請求項７】
雨水集水蓋は、少なくともマス上部の口径よりも大きいことを特徴とする請求項１〜６の何れかに記載の集水装置。
【発明の詳細な説明】
【技術分野】
【０００１】
本発明は、雨水を集水させるマスの一部に取り付けられ、地表面の雨水を集水させてマスへ流し込ませると共に、雨水に混ざっている泥やごみ等の異物を取り除かせることができる集水装置に関する。
【背景技術】
【０００２】
図６は従来の雨水マスを示し、（ａ）は平面図、（ｂ）は縦断面図である。従来、地表面の雨水をマスで集水させる雨水マス１０１としては、地表面に設置した格子蓋１０２により雨水を集水させ、地中にある泥溜めバスケット１０４ｂを備え付けたマス本体１０４へと雨水を流し込ませるものが一般的であった。この従来の雨水マス１０１の場合には、地表面のごみがマス本体１０４の泥溜め部１０４ａの泥溜めバスケット１０４ｂに溜まり、掃除が頻繁に必要であるという問題があった。また格子蓋１０２の大きさが立管１０３の口径に限定され、十分に雨水を集水させることができないという問題があった。
一方、汚水や雨水に混ざっている泥やごみ等の異物を取り除かせることができる構造をマスの上部に有するものとしては、下記特許文献１に示すような汚水ますや、下記特許文献２に示すような集配水桝が提供されている。
【特許文献１】実開昭５１−４４２５９号公報
【特許文献２】実開平７−３１９９４号公報
【発明の開示】
【発明が解決しようとする課題】
【０００３】
上記特許文献１、２に示す汚水ますや集配水桝は、汚水や雨水に混ざっている泥やごみ等の異物を取り除かせることができる点に利点があるものである。
しかし上記特許文献１に示す汚水ますは、家庭の台所等から排出される汚水を集水させるためのますであり、そもそも地表面の雨水を集水させるためのますではなかった。
また上記特許文献２に示す集配水桝は、雨水を取り込む導入管が土中にあり、地表面の雨水を直接集水させることができないという問題があった。更に雨水取り込み口の大きさが導入管の口径に限定され、雨水を十分に集水させることができないという問題があった。
また上記特許文献１、２の何れにおいても、汚水ます、集配水桝は地表面から一定の深さにしか設置させることができず、任意の深さに設置させることができるものではなかった。
【０００４】
そこで本発明は上記従来技術における問題点を解決し、地表面の雨水を十分に集水させることができ、マスへの泥やごみ等の異物の侵入を防ぐことでマスの掃除の頻度を抑えることができ、マスを任意の深さに設置させることができる集水装置の提供を課題とする。
【課題を解決するための手段】
【０００５】
上記課題を達成するための本発明の集水装置は、排水マス、雨水マス、浸透マス等のマスに取り付けられて地表面の雨水を集水してマスへ流し込ませる集水装置であって、マスの上部に取り付けられ、マスへ雨水を浸透させる蓋付きの雨水浸透立管と、前記雨水浸透立管を囲むように配置した雨水受入容器と、地表面に配置されて前記雨水受入容器の蓋を構成する雨水集水蓋とから構成され、雨水集水蓋から雨水受入容器に受け入れられた雨水を雨水浸透立管の側部から該雨水浸透立管の内部へ浸透させて、マス内に導く構成としたことを第１の特徴としている。
また本発明の集水装置は、上記第１の特徴に加えて、雨水浸透立管は、側面にスリットを有する筒状体であり、該スリットの位置よりも下方に、前記雨水受入容器の底部が位置するように配置されていることを第２の特徴としている。
また本発明の集水装置は、上記第１又は第２の特徴に加えて、雨水浸透立管の蓋と雨水集水蓋とを面一に組み合わせて地表面に配置すると共に、両者を別々に開閉できる構成としたことを第３の特徴としている。
また本発明の集水装置は、上記第１〜第３の何れかの特徴に加えて、雨水集水蓋と雨水浸透立管の蓋とを別々に構成し、雨水浸透立管の蓋は雨水集水蓋の下方において雨水浸透立管を密閉する構成としたことを第４の特徴としている。
また本発明の集水装置は、上記第２〜第４の何れかの特徴に加えて、雨水浸透立管の筒状体の側面外周を透水シートで覆うことを第５の特徴としている。
また本発明の集水装置は、上記第２〜第５の何れかの特徴に加えて、筒状体の側面外周のうち、上部は透水シートで覆うことなく開放しておくことを第６の特徴としている。
また本発明の集水装置は、上記第１〜第６の何れかの特徴に加えて、雨水集水蓋は、少なくともマス上部の口径よりも大きいことを第７の特徴としている。
【発明の効果】
【０００６】
請求項１に記載の集水装置によれば、マスへ雨水を浸透させる蓋付きの雨水浸透立管がマスの上部に取り付けられる構成としていることから、雨水浸透立管からマスへ効果的に雨水を浸透させることができる。また雨水浸透立管を囲むように雨水受入容器を配置する構成としていることから、雨水浸透立管の全面から雨水を浸透させることができる。また雨水受入容器の蓋を構成する雨水集水蓋が地表面に配置される構成としていることから、雨水受入容器の蓋を地表面と段差なく設置できると共に、地表面の雨水を効果的に集水させることができる。また雨水集水蓋から雨水受入容器に集水された雨水を雨水浸透立管の側部から内部へ浸透させてマス内へ導く構成としていることから、雨水受入容器は雨水浸透立管を囲むように取り付けられているところ、雨水浸透立管の側部を有効に利用して雨水をマスへ浸透させることができる。
【０００７】
請求項２に記載の集水装置によれば、上記請求項１に記載の構成による効果に加えて、雨水浸透立管は、側面にスリットを有する筒状体である構成としていることから、内部が空洞となる。よって雨水に含有されるごみ等の異物を効果的にスリットで捕捉させて雨水を筒状体内へ浸透させることができる。また内部が空洞となることで、雨水浸透立管の蓋を開けるだけでマスの内部を確認することができる。また筒状体の底部が雨水受入容器の底部よりも上方になるようにマスの上部に取り付けられる構成としていることから、雨水受入容器の底部を泥溜め部として、設置位置が浅いので容易に溜まった泥を取り除くことが可能となる。勿論、雨水受入容器の底部に溜まる泥やごみ等の異物によってスリットが目詰まりすることを防止できる。
【０００８】
請求項３に記載の集水装置によれば、上記請求項１又は２に記載の構成による効果に加えて、雨水浸透立管の蓋と雨水集水蓋とを面一に組み合わせて地表面に配置する構成としていることから、雨水浸透立管の蓋と雨水集水蓋との接合部分に段差を生じさせることがなく、地表面と面一に配置させることができる。また両者を別々に開閉できる構成としていることから、地表面において雨水浸透立管の蓋を開けるだけでマスの内部を迅速に確認することができる。
【０００９】
請求項４に記載の集水装置によれば、上記請求項１〜３の何れかに記載の構成による効果に加えて、雨水集水蓋と雨水浸透立管の蓋とを別々に構成し、雨水浸透立管の蓋は雨水集水蓋の下方において雨水浸透立管を密閉する構成としていることから、地表面の雨水を雨水集水蓋の全面で集水させることができると共に、集水された雨水が雨水浸透立管の内部に直接浸入することを効果的に防止することができる。
【００１０】
請求項５に記載の集水装置によれば、上記請求項２〜４の何れかに記載の構成による効果に加えて、雨水浸透立管の筒状体の側面外周を透水シートで覆う構成としていることから、雨水に含有されるごみ等の異物が雨水浸透立管のスリットよりも小さい場合であっても、透水シートで効果的に捕捉させることができる。よってマスへごみ等の異物が侵入することを更に効果的に防止できる。
【００１１】
請求項６に記載の集水装置によれば、上記請求項２〜５の何れかに記載の構成による効果に加えて、筒状体の側面外周のうち、上部は透水シートで覆うことなく開放しておく構成としていることから、例え透水シートが目詰まりした場合であっても、筒状体上部から雨水を浸透立管内部へと浸透させることができる。
【００１２】
請求項７に記載の集水装置によれば、上記請求項１〜６の何れかに記載の構成による効果に加えて、雨水集水蓋は、少なくともマス上部の口径よりも大きい構成としていることから、雨水集水蓋の口径がマス上部の口径に限定されることなく、地表面の雨水を効果的に集水することができる。
【発明を実施するための最良の形態】
【００１３】
以下の図面を参照して、本発明の実施形態に係る集水装置について説明する。
図１は本発明の第１の実施形態に係る集水装置を示し、（ａ）は平面図、（ｂ）は縦断面図である。図２は本発明の第１の実施形態に係る集水装置の変形例を示し、（ａ）は平面図、（ｂ）は縦断面図である。図３は本発明の第２の実施形態に係る集水装置を示し、（ａ）は平面図、（ｂ）は縦断面図である。図４は本発明の第２の実施形態に係る集水装置の変形例を示し、（ａ）は平面図、（ｂ）は縦断面図である。図５は図３の部分拡大図である。
【００１４】
まず図１を参照して、本発明の第１の実施形態に係る集水装置について説明する。
集水装置１は、マス２の上部に中継立管２ｃを介して取り付けられ、地表面の雨水を集水してマス２へ流し込ませると同時に、雨水に混ざっている泥やごみ等の異物を取り除かせることのできる装置である。この集水装置１は雨水浸透立管１０と、雨水受入容器２０と、雨水集水蓋３０とから構成される。
【００１５】
前記雨水浸透立管１０は、雨水集水蓋３０により集水された雨水に含有されるごみ等の異物を捕捉させて、雨水を中継立管２ｃを介してマス２へ浸透させるためのものである。
この雨水浸透立管１０は中継立管２ｃと同一口径の筒状体で構成され、中継立管２ｃの上部に着脱自在に取り付けられている。筒状体とすることで内部が空洞となる。よって雨水浸透立管１０の内部へ雨水を浸透させることができる。また中継立管２ｃと同一口径とし、中継立管２ｃの上部に取り付けられていることで、迅速に中継立管２ｃへ雨水を浸透させることができる。また中継立管２ｃの長さを適宜変更させるだけで、マス２を任意の深さに設置させることができる。また着脱自在に取り付けられていることで、雨水浸透立管１０の着脱を容易に行うことができる。
【００１６】
またこの雨水浸透立管１０には、側面に同一形状、同一大きさのスリット１１が上下３段で全周にわたって均等に多数設けられている。このようにスリット１１を設けることで、スリット１１の大きさよりも大きいごみ等の異物を確実に捕捉させることができる。よってごみ等の異物がマス２へ侵入することを防止できる。またスリット１１を雨水浸透立管１０の側面に設けることで、雨水を緩やかに雨水浸透立管１０の内部へ浸透させることができる。よって集水された雨水を雨水受入容器２０に一定時間溜まらせることができる。従って雨水に含有される泥や大型のごみ等の異物を効果的に沈殿させて集めることが可能となる。
【００１７】
更に最下段のスリット１１の下部が、後述する泥溜め部２３の上面よりも上方になるように取り付けられている。よって泥溜め部２３に泥や大型のごみ等の異物が溜まっても、スリット１１が異物で遮断されることを防止できる。また同一形状、同一大きさのスリット１１を均等に多数設けることで、浸透の初期段階において、マス２への雨水の浸透を均一にさせ易くできる。よって雨水に含有されるごみ等の異物が、特定のスリット１１に集中して目詰まりを生じさせることを効果的に防止できる。また浸透が進むにつれて何れかのスリット１１で目詰まりが生じた場合でも、スリット１１を多数設けているので雨水の浸透効率の低下を抑えることができる。
なおスリット１１の形状、大きさ、数、配置等は本実施形態のものに限る必要はなく、適宜変更可能である。
【００１８】
雨水浸透立管１０には、その側面外周を覆う透水シート１２を設けることができる。
前記透水シート１２は、前記スリット１１の大きさよりも小さいごみ等の異物を捕捉させるためのものである。この透水シート１２は、雨水浸透立管１０の下２段のスリット１１を覆うように張設されている。このような構成とすることで、雨水を一段と緩やかに雨水浸透立管１０の内部へ浸透させることができる。よって集水された雨水を雨水受入容器２０に一定時間溜まらせることを、より容易に行わせることができる。従って雨水に含有される泥や大型のごみ等の異物を、後述する泥溜め部２３により効果的に沈殿させることができる。また雨水浸透立管１０の上部に透水シート１２を張設させない構成としていることで、透水シート１２が目詰まりした場合であっても上部のスリット１１で雨水を浸透させることができ、雨水の浸透が中断することを防止できる。
なお透水シート１２の材質は、例えばポリエステルがあるが、勿論、如何なる材質の透水シートを用いてもよい。
【００１９】
前記雨水浸透立管蓋１３は、雨水集水蓋３０から集水された雨水を直接雨水浸透立管１０の内部に浸入させないようにするためのものである。この雨水浸透立管蓋１３は、雨水浸透立管１０の上部に開閉自在に取り付けられ、且つ雨水集水蓋３０の一部である中央部を構成するように取り付けられている。このような構成とすることで、地表面において雨水浸透立管蓋１３を開けるだけでマス２の内部を迅速に確認することができると共に、マス２内の泥溜め部２ａに備えられた泥溜めバスケット２ｂの着脱を行うことができる。また雨水浸透立管１０は中継立管２ｃの上部に着脱自在に取り付けられているだけの構成であるので、雨水浸透立管１０の着脱を容易に行うことができる。よって雨水浸透立管１０の清掃や交換を容易に行うことができる。
【００２０】
前記雨水受入容器２０は、雨水集水蓋３０により集水された雨水を一時的に溜め、泥や大型のごみ等の異物を底部に沈殿させて集めさせるための容器である。この雨水受入容器２０は立管部２１と底板部２２とからなり、雨水受入容器２０内底部を泥溜め部２３としている。
【００２１】
前記立管部２１は、雨水受入容器２０の外壁を構成するためのものである。この立管部２１は、雨水集水蓋３０と同一口径であり、雨水浸透立管１０を囲むように取り付けられている。
【００２２】
前記底板部２２は、雨水受入容器２０の底部を構成するためのものである。この底板部２２の中央は開孔されており、前記マス２の中継立管２ｃの上部が貫通して侵入するように構成されている。雨水受入容器２０に下方から侵入した中継立管２ｃに対して、前記雨水浸透立管１０が接続されている。雨水受入容器２０の底板部２２は、前記雨水浸透立管１０の最下部のスリット１１の位置よりも下方になるように構成される。このような構成とすることで、雨水受入容器２０内の底部に泥溜め部２３を形成させることができる。この泥溜め部２３は雨水浸透立管１０の最下段のスリット１１の下部よりも下方に形成されるので、泥溜め部２３に泥やごみ等の異物を溜めることができると共に、その異物によって雨水浸透立管１０のスリット１１が詰まることもない。
【００２３】
前記泥溜め部２３は、雨水集水蓋３０により集水された雨水に含有される泥や大型のごみ等の異物を溜めさせるための空間である。この泥溜め部２３は立管部２１の下部と、底板部２２と、雨水浸透立管１０の下部とで構成され、環状凹所としての形状をしている。
泥溜め部２３は、既述したように、雨水浸透立管１０の最下段のスリット１１の下部よりも下方に形成される構成としているので、泥溜め部２３に泥や大型のごみ等の異物が溜まっても雨水浸透立管１０のスリット１１が遮断されることはない。更に泥溜め部２３の平面視面積は、図１に示すように、雨水浸透立管１０の平面視面積よりも大きい構成としている。このような構成とすることで、泥溜め部２３に泥や大型のごみ等の異物が溜まっても、雨水浸透立管１０のスリット１１が遮断されることを一段と効果的に防止できる。
【００２４】
雨水集水蓋３０は、雨水受入容器２０の蓋を構成すると共に、地表面の雨水を雨水受入容器２０へと集水させるための蓋である。この雨水集水蓋３０は開閉自在であり、図１に示すように、中継立管２ｃや雨水浸透立管１０の口径よりも大きい円形で、上面が地表面と面一となるように取り付けられている。このように中継立管２ｃや雨水浸透立管１０の口径よりも大きい構成とすることで、雨水を集水させる部分の大きさがマス２の口径に限定されることなく、地表面の雨水を効果的に集水させることができる。また雨水集水蓋３０を開けるだけで、雨水浸透立管１０や泥溜め部２３の掃除を容易に行うことができる。
また図１に示すように、雨水浸透立管蓋１３と雨水集水蓋３０とを面一に組み合わせて地表面に配置している。このような構成とすることで、雨水浸透立管蓋１３と雨水集水蓋３０との接合部分に段差が生じることがない。よって接合部分に泥やごみ等の異物が溜まることを防止できる。また地表面に配置することで雨水浸透立管蓋１３と雨水集水蓋３０とを地表面と面一とさせることができる。よって庭等に設置する場合でも、集水装置１につまづく危険性を確実に防止できる。また雨水集水蓋３０は、雨水浸透立管蓋１３が中央に配置されるように、中央に開口部を有する環状の形状としている。このような構成とすることで、雨水浸透立管蓋１３を開けるだけでマス２の内部を迅速に確認することができると共に、マス２内の泥溜め部２ａに備えられた泥溜めバスケット２ｂの着脱を容易に行うことができる。また雨水浸透立管１０は中継立管２ｃの上部に着脱自在に取り付けられているだけの構成であるので、雨水浸透立管１０の着脱を容易に行うことができる。よって雨水浸透立管１０の清掃や交換を容易に行うことができる。
また雨水集水蓋３０には、スリット３１を多数設ける構成としている。よってスリット３１よりも大きいごみ等の異物を捕捉させることができると共に、地表面の雨水を雨水受入容器２０へ効率的に集水させることができる。
なお雨水集水蓋３０の形状、大きさ、スリット３１の形状、スリット３１の数等は本実施形態のものに限る必要はなく、適宜変更可能であることは言うまでもない。
【００２５】
次に図２を参照して、本発明の第１の実施形態に係る集水装置の変形例について説明する。
この集水装置１は、雨水浸透立管蓋１３０を、雨水集水蓋と面一に組み合わせてその中央部に配置するような構成とはせず、雨水集水蓋３００よりも下方の地中に配置するように構成したものである。雨水集水蓋３００は円形形状とし、その略全面にスリット３１０を設けるものとしている。その他の構成については、前記第１の実施形態に係る集水装置１と同じである。同一部材、同一機能を果たすものには同一番号を付して以下説明を省略する。
【００２６】
図２に示すように、雨水浸透立管蓋１３０を雨水集水蓋３００よりも下方の地中に配置されることで、雨水集水蓋３００の全面を利用して地表面の雨水を雨水受入容器２０へと集水させることができる。よって地表面の雨水を一段と多く雨水受入容器２０へと集水させることができる。また雨水浸透立管蓋１３０は、中央部を頂上とする緩やかな山型形状としている。よって雨水集水蓋３００により取り込まれた雨水を、雨水浸透立管蓋１３０の上部に溜まらせることなく傾斜面をつたわらせて、雨水受入容器２０へと効率的に集水させることができる。
【００２７】
次に図３を参照して、本発明の第２の実施形態に係る集水装置について説明する。
集水装置１は、前記第１の実施形態に係る集水装置１における雨水浸透立管１０に透水シート１２を張設する構成とはせず、雨水浸透立管１０の周囲に金網４０を取り付けている。更に金網４０の周囲に螺旋水路５０を取り付けている。また前記第１の実施形態に係る集水装置１における底板部２２の立管部２１との取り付け部を地表面方向に垂直に延ばしている。その他の構成は前記第１の実施形態に係る集水装置１と同一である。同一部材、同一機能を果たすものには同一番号を付して以下説明を省略する。
【００２８】
図３に示すように、前記金網４０は、雨水集水蓋３０により集水された雨水に含有されるごみ等の異物を雨水浸透立管１０で捕捉させる前に捕捉させるためのものである。金網４０でごみ等の異物を捕捉させることで、雨水浸透立管１０のスリット１１の目詰まりを格段に防止できる。よって雨水浸透立管１０による雨水の浸透を効率的に行うことができる。この金網４０は雨水浸透立管１０の周囲に着脱自在に取り付けられている。このような構成とすることで、雨水浸透立管１０の周囲に集水された雨水に含有されるごみ等の異物を効果的に捕捉させることができる。また雨水集水蓋３０を開けるだけで金網４０の取り外しを容易に行え、金網４０の清掃や交換を容易に行うことができる。
なお、この金網４０の網目の大きさは、少なくとも雨水集水蓋３０のスリット３１よりも小さく且つ雨水浸透立管１０のスリット１１よりも大きいものであれば、如何なるものであってもよい。
【００２９】
図５も参照して、前記螺旋水路５０は、雨水集水蓋３０により集水された雨水が金網４０の上部から下部へと流されていくための水路である。この螺旋水路５０は金網４０の周囲を取り巻くように着脱自在に取り付けられており、金網４０との接触部分に向かって下方に傾斜した、いわゆる滑り台のような傾斜を有する形状をしている。このような構成とすることで、雨水が螺旋水路５０を流れていく過程で一定の重みを有するごみ等の異物を金網４０側へ転がらせるようにして寄せ集めさせることができる。
更に金網４０との接触部分周辺では、地表面に対してほぼ水平な平坦部を有する構成としている。このような構成とすることで、金網４０側へ寄せられてきたごみ等の異物を平坦部に溜めることができる。また螺旋水路５０を取り外す場合には、螺旋水路５０を持ち上げる過程で、溜まったごみ等の異物を下に落とすことなく持ち上げて掃除を行うことができる。
また螺旋水路５０は、雨水集水蓋３０の全てのスリット３１から集水される雨水を受けることができるように幅広な形状である。このような構成とすることで、雨水集水蓋３０により集水される全ての雨水を効率的に金網４０の上部から下部へと流させることができる。また幅広な構成とすることで、螺旋水路５０を流れる雨水の水流を、幅狭な場合に比べて緩やかなものとさせることができる。よって雨水に含有されるごみ等の異物を雨水から分離させ易くできる。よってごみ等の異物の捕捉を効果的に行うことができる。
なお螺旋水路５０の角度等は本実施形態のものに限られるものではなく、適宜変更可能である。
【００３０】
また底板部２２の立管部２１との取り付け部を地表面に垂直に延ばしている。このような構成とすることで、底板部２２と立管部２１との取り付けをより強固に行うことができる。
なお本第２の実施形態においては、雨水浸透立管１０に透水シート１２を張設する構成とはしていないが、勿論、金網４０、螺旋水路５０に加えて雨水浸透立管１０に透水シート１２を張設するような構成であってもよい。
【００３１】
次に図４を参照して、本発明の第２の実施形態に係る集水装置の変形例について説明する。
この集水装置１は、雨水浸透立管蓋１３０を雨水集水蓋の中央部に配置するような構成とはせず、雨水集水蓋３００よりも下方の地中に配置するように構成したものである。また第１の実施形態の変形例と同様に、雨水集水蓋３００の形状は円形とし、その略全面にスリット３１０を設けるものとしている。その他の構成については前記第２の実施形態に係る集水装置１と同じである。同一部材、同一機能を果たすものには同一番号を付し以下説明を省略する。
【００３２】
図４に示すように、雨水浸透立管蓋１３０が雨水集水蓋３００よりも下方の地中に配置されることで、雨水集水蓋３００の全面を利用して地表面の雨水を雨水受入容器２０へと集水させることができる。よって地表面の雨水を一段と多く雨水受入容器２０へと集水させることができる。また雨水浸透立管蓋１３０は、中央部を頂上とする緩やかな山型形状としている。よって雨水集水蓋３００により取り込まれた雨水を、雨水浸透立管蓋１３０の上部に溜まらせることなく傾斜面をつたわらせて、雨水受入容器２０へと効率的に集水させることができる。
【００３３】
以上のように本発明の集水装置１によれば、マス２の上部に容易に取り付けることができ、地表面の雨水を十分に取り込むことができる。またマス２の内部の確認を容易に行うことができると共に、マス２に設けられた泥溜めバスケット２ｂの着脱を容易に行うことができる。また地表面の泥やごみ等の異物がマス２に侵入することを防止できるので、マス２に備えられた泥溜めバスケット２ｂの掃除頻度を抑えることができる。
【００３４】
なお本発明は本実施の形態に限られるものではなく、任意好適な様々な変更が可能である。例えば雨水受入容器２０の泥溜め部２３の形状を、底板部２２を下方に湾曲させた凹状の形状とすることもできる。このような構成とすることで、一段と泥や大型のごみ等の異物を溜めさせ易くできる。
また雨水受入容器２０の泥溜め部２３に着脱可能な泥溜めバスケットを更に設けるような構成とすることもできる。このような構成とすることで、雨水集水蓋３０を開けて泥溜め部の泥溜めバスケットを取り出すだけで、容易に泥溜め部２３に溜まった泥やごみ等の異物を回収することができる。
【図面の簡単な説明】
【００３５】
【図１】本発明の第１の実施形態に係る集水装置を示し、（ａ）は平面図、（ｂ）は縦断面図である。
【図２】本発明の第１の実施形態に係る集水装置の変形例を示し、（ａ）は平面図、（ｂ）は縦断面図である。
【図３】本発明の第２の実施形態に係る集水装置を示し、（ａ）は平面図、（ｂ）は縦断面図である。
【図４】本発明の第２の実施形態に係る集水装置の変形例を示し、（ａ）は平面図、（ｂ）は縦断面図である。
【図５】図３の部分拡大図である。
【図６】従来の雨水マスを示し、（ａ）は平面図、（ｂ）は縦断面図である。
【符号の説明】
【００３６】
１      集水装置
２      マス
２ａ    泥溜め部
２ｂ    泥溜めバスケット
２ｃ    中継立管
１０    雨水浸透立管
１１    スリット
１２    透水シート
１３    雨水浸透立管蓋
２０    雨水受入容器
２１    立管部
２２    底板部
２３    泥溜め部
３０    雨水集水蓋
３１    スリット
４０    金網
５０    螺旋水路
１３０  雨水浸透立管蓋
３００  雨水集水蓋
３１０  スリット
【図１】
2008285932.tif 000003
【図２】
2008285932.tif 000004
【図３】
2008285932.tif 000005
【図４】
2008285932.tif 000006
【図５】
2008285932.tif 000007
【図６】
2008285932.tif 000008